(57)【要約】【課題】 文字板表面に対して低い入射角で光が入射する場合でも、光をソーラーセルの発電面へ効率よく導光させることができるソーラーセル付電子時計を提供する。【解決手段】第１の反射面（外側傾斜面９ｂ）と第２の反射面（底面９ｃ）を有する見返しリング９を有し、第１の反射面は、空気と見返しリング９を形成する材料との屈折率の違いによって、見返し面９ａ側から入射した光をその界面でソーラーセル８側又は第２の反射面側に反射させ、第２の反射面は、空気と見返しリング９を形成する材料との屈折率の違いによって、見返し面９ａから入射した光又は第１の反射面で反射した光を、その界面でソーラーセル８側に反射させる。【選択図】図８
2015052458.tif 000002
【特許請求の範囲】
【請求項１】
文字板の背面側周囲に、発電領域が表面に形成された帯状のソーラーセルが前記文字板に対して略垂直に配置されたソーラーセル付電子時計において、
前記文字板の外周縁部側と外装ケースの内周面との間に配置された、光透過性を有する材料で形成された見返しリングを備え、
前記見返しリングは、
少なくとも上部側が前記文字板の表面よりも上側に位置し、かつ前記外装ケースの内周面側との間に第１の空間を有し、上部側が内側に傾斜した第１の反射面と、
少なくとも下部側が前記文字板の表面よりも下側に位置し、かつ前記文字板の外周縁部の背面側と前記外装ケースの内周面との間に形成された第２の空間内の上部側において下部側が前記ソーラーセル側に向けて傾斜した第２の反射面と、を有し、
前記第１の反射面は、前記第１の空間内にある媒体と前記見返しリングを形成する材料との屈折率の違いによって、前記見返しリングの前記文字板側の見返し面からある入射角で入射した光を、前記第１の反射面の界面で前記ソーラーセル側又は前記第２の反射面側に反射させ、
前記第２の反射面は、前記第２の空間内にある媒体と前記見返しリングを形成する材料との屈折率の違いによって、前記見返しリングの前記文字板側の見返し面からある入射角で入射した光又は前記第１の反射面で反射した光を、前記第２の反射面の界面で前記ソーラーセル側に反射させ、
前記文字板の上方側又は／及び斜め上方側から入射する光を、前記第１、第２の各反射面のうちの少なくとも一つの反射面で前記ソーラーセル側に反射させて、その反射光を前記ソーラーセルの前記発電領域に導光させることを特徴とするソーラーセル付電子時計。
【請求項２】
前記第２の空間に配置された、前記見返しリングと当接して保持する中枠を備え、
前記中枠は、前記第２の空間内で前記ソーラーセルと対向する内面側に、上部側が外側に傾斜した第３の反射面を有し、
前記第３の反射面は、前記見返しリングの上面側又は前記見返し面側から該見返しリング内に入射し前記第２の反射面から出射した光又は前記第１の反射面で反射して前記第２の反射面から出射した光を、前記ソーラーセル側に反射させることを特徴とする請求項１に記載のソーラーセル付電子時計。
【請求項３】
前記媒体は空気であり、前記見返しリングを形成する材料の屈折率は前記空気よりも高いことを特徴とする請求項１又は２に記載のソーラーセル付電子時計。
【請求項４】
前記見返しリングの前記第１の反射面の、前記文字板の表面と略同一平面上に位置する領域を前記文字板に対して垂直な面とし、
この垂直な面に、前記第２の反射面の上部側に形成した垂直面状の上部反射面を当接させることを特徴とする請求項１乃至３のいずれか一項に記載のソーラーセル付電子時計。
【請求項５】
前記ソーラーセルは、時計ムーブメントの外周面に配置されていることを特徴とする請求項１乃至４のいずれか一項に記載のソーラーセル付電子時計。
【請求項６】
前記第３の反射面は、その表面が反射膜でコーティングされていることを特徴とする請求項２に記載のソーラーセル付電子時計。
【発明の詳細な説明】
【技術分野】
【０００１】
本発明は、受光した太陽光などの光を光電変換するソーラーセル（太陽電池）を備え、該ソーラーセルで得られた発電電力を時計駆動源として利用するソーラーセル付電子時計に関する。
【背景技術】
【０００２】
ソーラーセルで得られた発電電力を時計駆動源として利用するソーラーセル付電子時計では、例えば、ソーラーセルを半透過性の文字板の背面側に配置したり、ソーラーセルを文字板表面上の外周部周囲に略垂直に配置した構造が従来より知られている。しかしながら、このようなソーラーセルの配置構造では、ソーラーセルの濃紺色が風防ガラスを通して見えるため、美的外観が損なわれる。また、ソーラーセルを文字板表面上の外周部周囲に略垂直に配置するので、風防ガラスから時刻表示面である文字板までの距離が長くなりすぎて、時刻表示面が奥の方に見えてしまい、表示の視認性も低下する問題があった。
【０００３】
このため、ソーラーセルが風防ガラスの外側から見えないようにするために、例えば、特許文献１には、非透過性の文字板の外周縁部近傍の背面側に、発電面を外側に向けたソーラーセルを略垂直に配置するとともに、ソーラーセルの発電面の前方側に傾斜した反射板を配置し、文字板の外周側に設けた透過部を通して入射した光を、反射板で反射させてソーラーセルの発電面に導くようにした構造が開示されている。なお、この反射板は文字板よりも下側に配置されている。
【先行技術文献】
【特許文献】
【０００４】
【特許文献１】実開昭６２−１６４９１号公報
【発明の概要】
【発明が解決しようとする課題】
【０００５】
特許文献１の構造では、文字板表面に対して高い入射角で入射した光（文字板表面に対して略垂直方向から入射する光）は、傾斜した反射板で効率よく反射されて、ソーラーセルの発電面に導かれる。
【０００６】
ところで、特許文献１の構造を有する時計が腕時計タイプの場合、この時計を腕に装着しているときの腕の位置や太陽等の光源の位置などによっては、文字板表面に対して低い入射角で光が入射することがある。この場合には、文字板の背面側に配置した反射板への入射光が低減されて、ソーラーセルの発電面へ光を効率よく導光させることができなくなる。このため、ソーラーセルの発電効率が低下する。
【０００７】
そこで、本発明は、文字板表面に対して低い入射角で光が入射する場合でも、ソーラーセルの発電面へ光を効率よく導光させることができるソーラーセル付電子時計を提供することを目的とする。
【課題を解決するための手段】
【０００８】
前記目的を達成するために本発明に係るソーラーセル付電子時計は、文字板の背面側周囲に、発電領域が表面に形成された帯状のソーラーセルが前記文字板に対して略垂直に配置されたソーラーセル付電子時計において、前記文字板の外周縁部側と外装ケースの内周面との間に配置された、光透過性を有する材料で形成された見返しリングを備え、前記見返しリングは、少なくとも上部側が前記文字板の表面よりも上側に位置し、かつ前記外装ケースの内周面側との間に第１の空間を有し、上部側が内側に傾斜した第１の反射面と、少なくとも下部側が前記文字板の表面よりも下側に位置し、かつ前記文字板の外周縁部の背面側と前記外装ケースの内周面との間に形成された第２の空間内の上部側において下部側が前記ソーラーセル側に向けて傾斜した第２の反射面と、を有し、前記第１の反射面は、前記第１の空間内にある媒体と前記見返しリングを形成する材料との屈折率の違いによって、前記見返しリングの前記文字板側の見返し面からある入射角で入射した光を、前記第１の反射面の界面で前記ソーラーセル側又は前記第２の反射面側に反射させ、前記第２の反射面は、前記第２の空間内にある媒体と前記見返しリングを形成する材料との屈折率の違いによって、前記見返しリングの前記文字板側の見返し面からある入射角で入射した光又は前記第１の反射面で反射した光を、前記第２の反射面の界面で前記ソーラーセル側に反射させ、前記文字板の上方側又は／及び斜め上方側から入射する光を、前記第１、第２の各反射面のうちの少なくとも一つの反射面で前記ソーラーセル側に反射させて、その反射光を前記ソーラーセルの前記発電領域に導光させることを特徴としている。
【発明の効果】
【０００９】
本発明に係るソーラーセル付電子時計によれば、文字板表面に対して低い入射角から高い入射角で見返しリング内に光が入射する状況においても、入射光を見返しリングの第１の反射面又は／及び第２の反射面でソーラーセル側に反射させて、文字板４よりも下側に垂直に配置されているソーラーセルの発電領域に効率よく導光させることができる。
【００１０】
これにより、ソーラーセル（発電領域）の発電量が安定し、かつ発電量も増やすことができる。
【図面の簡単な説明】
【００１１】
【図１】本発明の実施形態１に係るソーラーセル付電子時計の表面側（文字板側）を示す平面図。
【図２】図１のＡ−Ａ線断面図。
【図３】ソーラーセルを示す斜視図。
【図４】ソーラーセルを平面状に開いた状態を示す図。
【図５】見返しリングを示す斜視図。
【図６】中枠を示す斜視図。
【図７】中枠の傾斜面に形成した突起部に見返しリングの底面が当接した状態を示した断面図。
【図８】見返しリング内に入射した光がソーラーセルの発電領域に導光されるまでの光路を示した図。
【図９】本発明の実施形態２における中枠付近を示す断面図。
【図１０】本発明の実施形態２における中枠を示す斜視図。
【図１１】実施形態２における、中枠の傾斜面に形成した突起部に見返しリングの底面が当接した状態を示した断面図。
【図１２】実施形態３における操作ボタンの棒状操作部の配置状態を示す断面図。
【図１３】本発明の実施形態４における見返しリング付近を示す断面図。
【図１４】本発明の実施形態５における見返しリング付近を示す断面図。
【発明を実施するための形態】
【００１２】
以下、本発明を図示の実施形態に基づいて説明する。
〈実施形態１〉
図１は、本発明の実施形態１に係るソーラーセル付電子時計の表面側（文字板側）を示す平面図、図２は、図１のＡ−Ａ線断面図である。なお、本実施形態におけるソーラーセル付電子時計は、ソーラーセル（太陽電池）で得られた発電電力を時計駆動源として利用し、指針（時針、分針、秒針）で時刻を表示する腕時計タイプの例である。
【００１３】
（ソーラーセル付電子時計の全体構成）
図１、図２に示すように、本実施形態のソーラーセル付電子時計１は、外装ケース（時計ケース）２の表面側に設けた風防ガラス３（図２参照）の内側に円板状の文字板４が設置されており、文字板４上の中心には指針（時針５、分針６、秒針７）が同軸上に設置されている。外装ケース２内の文字板４の外周縁部近傍には、後述する導光機能を有する見返しリング９が配設されている。
【００１４】
外装ケース２内の文字板４の背面側と裏蓋１０との間には、時計ムーブメント１１、時計ムーブメント１１を駆動させるための時計回路基板１２、時計ムーブメント１１の外周面側に垂直に配置されたソーラーセル８、ソーラーセル８と時計回路基板１２の電極とを電気的に接続する板状の接続バネ１３、時計ムーブメント１１と時計回路基板１２の下面側（裏蓋１０側）を押さえて保持する回路押さえ板１４等が組み込まれている。
【００１５】
時計ムーブメント１１の外周面側に垂直に配置されたソーラーセル８の外周側（光発電領域８ｂ側）と外装ケース２の内周面との間に形成された空間（第２の空間）Ａ１には、略リング状の中枠１５が設置されている。中枠１５は、見返しリング９の下面側、外装ケース２の内周面、回路押さえ板１４、及び時計ムーブメント１１と時計回路基板１２の外周側下面等で位置決めされて保持されている。本発明の特徴である中枠１５の詳細については後述する。
【００１６】
また、文字板４の時刻表示「３時」側（図１の右側）に位置する外装ケース２の外側面には、外部操作部材であるリューズ１６が設置されており、このリューズ１６と連結された棒状操作部である巻真１６ａは、時計ムーブメント１１内部の輪列に接続されている。
【００１７】
（ソーラーセル８の構成）
図３は、ソーラーセル８を示す斜視図、図４は、ソーラーセル８を平面状に開いた状態を示す図である。
【００１８】
図３、図４に示すように、ソーラーセル８は、ＰＥＴフィルム製のベース基板８ａ上にアモルファスシリコン層等を形成した細長い帯状のソーラーセルであり、可撓性を有し、太陽光等の光を受光して発電を行う光発電領域８ｂ、及び該光発電領域８ｂの背面側の側端部に、ソーラーセル８で発生する電力を取出す端子としての取出し電極８ｃ，８ｄが配置されている。
【００１９】
ソーラーセル８は、文字板４の外周縁部の下側に位置する時計ムーブメント１１の外周面に垂直に配置され（図２参照）、光発電領域８ｂが外側（中枠１５側）を向くようにして保持している。また、帯状のソーラーセル８を時計ムーブメント１１の外周面に保持した際に、図３に示したように、ソーラーセル８の両端部８ｅ，８ｆの間に隙間を設けて、この両端部８ｅ，８ｆの間に、時計ムーブメント１１側に接続される巻真１６ａを通すようにしている。これにより、ソーラーセル８に巻真１６ａを通すための孔を設ける必要がなくなる。
【００２０】
取出し電極８ｃ，８ｄは、接続バネ１３を介して時計回路基板１２の電極（不図示）に電気的に接続されており、ソーラーセル８からの発電電力は二次電池（不図示）に蓄電された後に、時計回路基板１２の回路部や時計ムーブメント１１の指針駆動モータ等に供給される。
【００２１】
（見返しリング９の構成）
図２、図５に示すように、見返しリング９は、光透過性を有する樹脂材によって略リング状に樹脂成形されたものであり、内側（文字板４側）の略垂直な見返し面９ａと、外側（外装ケース２側）に形成された外側傾斜面９ｂ及び傾斜した底面９ｃを有している。本発明の特徴である見返しリング９の外側傾斜面９ｂと底面９ｃの詳細については後述する。
【００２２】
外側傾斜面９ｂは文字板４よりも上側に位置し、底面９ｃは文字板４よりも下側に位置している。なお、外側傾斜面９ｂの下部側と底面９ｃの上部側は、文字板４と略同一平面付近に位置している。
【００２３】
見返しリング９の見返し面９ａは、この見返し面９ａに形成した段部９ｄによって文字板４の外周縁部に保持され、この段部９ｄより下側が文字板４の下方側に位置している。なお、見返し面９ａの段部９ｄよりも下側を下側内周面９ａ’とする。この下側内周面９ａ’の長さは、見返し面９ａの長さの半分程度である。また、見返しリング９の平面状の上面９ｅは風防ガラス３の内面に当接している。
【００２４】
見返しリング９の外側傾斜面９ｂの下端と底面９ｃの上端とが接している縁部９ｆは、文字板４の表面よりも少し下側に位置するようにして、外装ケース２の内周面に当接している。また、外側傾斜面９ｂと外装ケース２の垂直な内周面２ａとの間には、空間（第１の空間）Ａ２が形成されている。
【００２５】
（中枠１５の構成）
図２、図６に示すように、中枠１５は、樹脂材によって略リング状に樹脂成型されたものである。中枠１５の内周面には傾斜面１５ａが形成されており、見返しリング９の底面９ｃが位置する空間Ａ１の対向側に、垂直に配置したソーラーセル８の光発電領域８ｂが位置している。傾斜面１５ａの表面には、反射率の高い金属薄膜等の反射膜１５ｂ（図２参照）が真空蒸着法などでコーティングされている。
【００２６】
中枠１５の傾斜面１５ａの傾斜角（外装ケース２の垂直な内周面２ａに沿った直線方向を傾斜角０度とする）は、例えば５０〜７５度程度の範囲に設定されており、上記した見返しリング９の底面９ｃから出射してこの傾斜面１５ａ（反射膜１５ｂ）で反射した光が、垂直に配置した前方のソーラーセル８（光発電領域８ｂ）に入射するようにしている。中枠１５の傾斜面１５ａの上部側に、見返しリング９の底面９ｃが対向している。
【００２７】
なお、中枠１５を金属材料で形成している場合には、傾斜面１５ａの表面に反射率の高い金属をメッキ処理して反射膜を形成してもよく、更に、傾斜面１５ａの表面を鏡面仕上げとして、反射面として機能させるようにしてもよい。
【００２８】
中枠１５の傾斜面１５ａには、周方向に沿って等間隔で表面が傾斜した突起部１５ｃが一体に複数形成されている。各突起部１５ｃの傾斜表面上には、図７に示すように、見返しリング９の底面９ｃが当接され、見返しリング９の下部側を位置決めして保持している。このように、傾斜面１５ａに形成した各突起部１５ｃをリング９の底面９ｃに当接させて保持しているので、この当接面以外ではリング９の底面９ｃと中枠１５の傾斜面１５ａとの間に空間が設けられる。また、この傾斜した突起部１５ｃの表面にも反射率の高い金属薄膜等の反射膜が真空蒸着法などでコーティングされている。
【００２９】
また、中枠１５の巻真１６ａが貫通する部分には貫通孔１５ｄが形成されている。
【００３０】
（見返しリング９の外側傾斜面９ｂ、底面９ｃの詳細構成）
上記したように、底面９ｃと中枠１５の傾斜面１５ａ側との間には空間Ａ１が形成されており、また、外側傾斜面９ｂと外装ケース２の垂直な内周面２ａとの間にも空間Ａ２が形成されている（図２参照）。これらの空間Ａ１，Ａ２内には空気が満たされている。
【００３１】
外側傾斜面９ｂの先端側（縁部９ｆと反対側）は、内側（外装ケース２の内周面２ａから離れる側）に傾斜している。外側傾斜面９ｂの傾斜角（外装ケース２の垂直な内周面２ａに沿った直線方向を傾斜角０度とする）は、ソーラーセル付電子時計１のサイズや見返しリング９の大きさ等によって変化するが、例えば１０〜４０度程度の範囲で設定するのが好ましい。
【００３２】
外側傾斜面９ｂには、反射率の高い金属薄膜等の反射膜はコーティングされておらず、空気と接する界面を有している。また、樹脂材料からなる見返しリング９の屈折率は空気よりも大きい。
【００３３】
底面９ｃの先端側（縁部９ｆと反対側）は、斜め下方側（垂直に配置されているソーラーセル８の上部側）に傾斜している。底面９ｃの傾斜角（外装ケース２の垂直な内周面２ａに沿った直線方向を傾斜角０度とする）は、ソーラーセル付電子時計１のサイズや見返しリング９の大きさ等によって変化するが、例えば３０〜６０度程度の範囲で設定するのが好ましい。
【００３４】
底面９ｃには、反射率の高い金属薄膜等の反射膜はコーティングされておらず、空気と接する界面を有している。
【００３５】
本実施形態に係るソーラーセル付電子時計１は上記のように構成されており、このソーラーセル付電子時計１を腕に装着したときの姿勢状態や太陽などの光源の位置によって、例えば図８に示したように、風防ガラス３の表面に対してある入射角（例えば、風防ガラス３の法線方向を入射角９０度としたときに、入射角４５度付近を含む所定範囲）で見返し面９ａから見返しリング９内に入射した光Ｌ１は、大部分は外側傾斜面９ｂから出射することなく（見返しリング９の屈折率と空気の屈折率が異なるため）、外側傾斜面９ｂの界面で略全反射し、下側内周面９ａ’から出射して、ソーラーセル８の光発電領域８ｂに入射する。
【００３６】
また、光Ｌ１よりも低い入射角で見返し面９ａから見返しリング９内に入射した光Ｌ２は、外側傾斜面９ｂの界面で底面９ｃ側に反射（見返しリング９の屈折率と空気の屈折率が異なるため）する。そして、見返しリング９内を透過して底面９ｃに入射した光の一部はこの底面９ｃを出射し、出射しなかった残りの光（点線で示した矢印）を底面９ｃの界面で下側内周面９ａ’側に反射（見返しリング９の屈折率と空気の屈折率が異なるため）して、下側内周面９ａ’を通してソーラーセル８の光発電領域８ｂに入射する。
【００３７】
一方、底面９ｃを出射した一部の光は、中枠１５の傾斜面１５ａ（反射膜１５ｂ）に入射して、この傾斜面１５ａ（反射膜１５ｂ）でソーラーセル８側に反射し、ソーラーセル８の光発電領域８ｂに入射する。このように、中枠１５の傾斜面１５ａ（反射膜１５ｂ）は反射面（第３の反射面）として機能する。
【００３８】
また、光Ｌ１よりも高い入射角で見返し面９ａから見返しリング９内に入射した光Ｌ３は、見返しリング９内を透過して底面９ｃに入射する。底面９ｃに入射した光の一部はこの底面９ｃを出射し、出射しなかった残りの光（点線で示した矢印）を底面９ｃの界面で下側内周面９ａ’側に反射（見返しリング９の屈折率と空気の屈折率が異なるため）して、下側内周面９ａ’を通してソーラーセル８の光発電領域８ｂに入射する。
【００３９】
一方、底面９ｃを出射した一部の光は、中枠１５の傾斜面１５ａ（反射膜１５ｂ）に入射して、この傾斜面１５ａ（反射膜１５ｂ）でソーラーセル８側に反射し、ソーラーセル８の光発電領域８ｂに入射する。
【００４０】
このように、見返しリング９の屈折率と空気の屈折率が異なっているため、外側傾斜面９ｂの表面に反射膜をコーティングすることなく外側傾斜面９ｂの界面を反射面（第１の反射面）として機能させることができ、同様に底面９ｃの表面に反射膜をコーティングすることなく底面９ｃの界面を反射面（第２の反射面）として機能させることができる。
【００４１】
よって、外側傾斜面９ｂと底面９ｃに反射膜をコーティングすることなく反射面として機能させることができるので、見返しリング９の製造コストを抑えることができる。
【００４２】
更に、光Ｌ３よりも高い入射角（図８では、入射角が略９０度）で上面９ｅから見返しリング９内に入射した光Ｌ４は、見返しリング９内を透過して底面９ｃから出射する。このように、上面９ｅ側から高い入射角（図８では略９０度）で見返しリング９内に入射した光Ｌ４は、底面９ｃの界面で殆ど反射することなく上面９ｅと対向位置にある底面９ｃから出射する。
【００４３】
そして、底面９ｃから出射した光は中枠１５の傾斜面１５ａ（反射膜１５ｂ）に入射して、この傾斜面１５ａ（反射膜１５ｂ）でソーラーセル８側に反射し、ソーラーセル８の光発電領域８ｂに入射する。
【００４４】
このように、本実施形態のソーラーセル付電子時計１は、反射面として機能する外側傾斜面９ｂ（第１の反射面）と底面９ｃ（第２の反射面）を備えた見返しリング９の下側に、反射膜１５ｂをコーティングした傾斜面１５ａ（第３の反射面）を有する中枠１５を設置している。よって、この構成により、風防ガラス３の表面に対して低い入射角から高い入射角で見返しリング９内に光が入射する状況においても、入射光を見返しリング９の外側傾斜面９ｂ又は／及び底面９ｃの界面でソーラーセル８側に反射させ、又は中枠１５の傾斜面１５ａ（反射膜１５ｂ）でソーラーセル８側に反射させて、文字板４よりも下側に垂直に配置されているソーラーセル８の光発電領域８ｂに効率よく導光させることができる。
【００４５】
これにより、ソーラーセル８（光発電領域８ｂ）の発電量が安定し、かつ発電量も増やすことができる。
【００４６】
〈実施形態２〉
図９に示した本実施形態のソーラーセル付電子時計１ａでは、ソーラーセル付電子時計の文字板４の幅（径方向の大きさ）が、図１、図２に示した実施形態１の例よりも大きく形成され、外観全体の幅が大きくなっている。なお、実施形態１と同一機能を有する部材には同一符号を付し、重複する説明は省略する。
【００４７】
一般的に文字板の幅が大きくなると、内部の時計ムーブメントもそれに応じて幅を変化させたものに変更する必要がある。しかしながら、本実施形態では、図９、図１０に示したように、文字板４の幅（径方向の大きさ）に応じて、中枠１５の径方向の幅を長く、更に、文字板４の幅に応じて中枠１５の底部周面１５ｅの径方向の幅を長く形成している。文字板４の背面側に配置した時計ムーブメント１１の径方向の幅は、文字板４の幅が大きい場合でも変更していない（図２に示した実施形態１の場合と同様の幅である）。なお、見返しリング９の形状は実施形態１と略同様である。
【００４８】
図１０に示すように、見返しリング９の底面９ｃが当接する中枠１５の傾斜した突起部１５ｃは、中枠１５の底部周面１５ｅの先端まで延びている。突起部１５ｃは、傾斜面１５ａの周方向に沿って等間隔で一体に複数形成されている。また、傾斜面１５ａの表面には、実施形態１と同様に、反射率の高い金属薄膜等の反射膜１５ｂ（図９参照）が真空蒸着法などでコーティングされている。
【００４９】
図１１に示すように、傾斜した突起部１５ｃの上部側に見返しリング９の底面９ｃが当接している。また、この傾斜した突起部１５ｃの表面にも反射率の高い金属薄膜等の反射膜１５ｆが真空蒸着法などでコーティングされている。
【００５０】
このように、本実施形態のソーラーセル付電子時計１ａでは、文字板４の幅を大きくした場合でも、文字板４の背面側に配置した、外周面にソーラーセル８を垂直に設けた時計ムーブメント１１の幅方向（径方向）の大きさ変更することなく、中枠１５の形状のみを変更するだけで対応することができる。なお、場合によっては見返しリング９の形状も少し変更する。
【００５１】
よって、文字板４の幅を大きくした場合でも、時計ムーブメント１１の共通化を図ることができ、コストを低減化することができる。
【００５２】
〈実施形態３〉
図１２に示すように、本実施形態のソーラーセル付電子時計１ｂは、リューズ１６（図１参照）の他に、例えばストップウオッチのＯＮ／ＯＦＦ操作等を行うための操作ボタン２０を有している。この操作ボタン２０はプッシュボタン式のスイッチである。他の構成は実施形態２のソーラーセル付電子時計と同様である。なお、実施形態１、２と同一機能を有する部材には同一符号を付し、重複する説明は省略する。
【００５３】
図１２に示すように、操作ボタン２０と一体的に形成された棒状操作部２０ａの先端側は、外装ケース２と中枠１５に形成した各貫通孔を通して、中枠１５の傾斜面１５ａや見返しリング９の底面９ｃ等が位置している空間Ａ１内まで延びている。なお、見返しリング９の底面９ｃは空間Ａ１内の上部側に位置し、棒状操作部２０ａは第２傾斜面９ｃの下方側に位置しているので、空間Ａ１内で棒状操作部２０ａが見返しリング９の底面９ｃと干渉することはない。
【００５４】
また、この空間Ａ１内には、回路抑え板１４の先端側に形成された板状弾性部１４ａと、板状弾性部１４ａの下部側に形成された接点突起部１４ｂが配置されており、板状弾性部１４ａの上部側の側面には棒状操作部２０ａの先端が略接している。垂直に折り曲げられた板状弾性部１４ａの下部は、中枠１５の底部周面１５ｅの内側周面に接している。
【００５５】
そして、操作者の操作によって操作ボタン２０が内側に押し込まれると、棒状操作部２０ａの先端が板状弾性部１４ａを押圧することで、板状弾性部１４ａがソーラーセル８側に弾性変形する。板状弾性部１４ａの弾性変形によって、接点突起部１４ｂが時計回路基板１２側の接点部（不図示）に電気的に接するように構成されている。これにより、時計回路基板１２に操作信号（ＯＮ信号）が入力されて、時計ムーブメント１１が操作ボタン２０の押し込み操作に応じて駆動される。
【００５６】
このように、リューズ１６の他に操作ボタン２０（棒状操作部２０ａ）を有している場合でも、見返しリング９やソーラーセル８に棒状操作部２０ａを通すための貫通孔を設けることなく、空間Ａ内に棒状操作部２０ａを容易に配置することができる。
【００５７】
〈実施形態４〉
図１３は、本実施形態に係るソーラーセル付電子時計１ｃの見返しリング付近を示す断面図である。なお、実施形態１と同一機能を有する部材には同一符号を付し、重複する説明は省略する。
【００５８】
例えば、実施形態１の構成よりも時計ムーブメント１１（文字板４）の径方向の寸法が大きく、かつデザインの制約上、外装ケース２の幅を大きくとることができない場合には、時計ムーブメント１１（文字板４）と外装ケース２の内周面との間にある見返しリング９の幅（径方向の大きさ）を狭めなくてはならない。
【００５９】
なお、見返しリング９の幅（径方向の大きさ）を狭めた場合には、外側傾斜面９ｂの傾斜角度が変更されてしまう。このため、外側傾斜面９ｂの傾斜角度が適切な傾斜角度からずれると、外側傾斜面９ｂで全反射して下側内周面９ａ’側に向かう光が減少する。このため、ソーラーセル８の光発電領域８ｂに入射する光量が減少する。
【００６０】
そこで、図１３に示す本実施形態のソーラーセル付電子時計１ｃのように、見返しリング９の外側傾斜面９ｂの傾斜角度は変更することなく、実施形態１の場合と同様に適切な傾斜角度に維持した状態とする。そして、見返しリング９の狭めた幅の大きさに応じて、外側傾斜面９ｂの下端と傾斜した底面９ｃの上端とが接している縁部９ｆを、文字板４に対して垂直に切断して垂直面とする。
【００６１】
そして、この垂直面状に形成された縁部９ｆの位置に合わせて、中枠１５の傾斜面１５ａの上部を垂直面１５ａ’とし、この垂直面１５ａ’に垂直面状の縁部９ｆの中央から下側を当接させて保持する。垂直面状の縁部９ｆは、上部側が文字板４よりも上側に位置し、下部側が文字板４よりも下側に位置している。
【００６２】
なお、見返しリング９の垂直面状の縁部９ｆに中枠１５の垂直面１５ａ’の全面を当接させるように、垂直面１５ａ’を上側に長くしてもよい。
【００６３】
また、中枠１５の垂直面１５ａ’の表面にも反射膜１５ｇがコーティングされており、見返し面９ａから見返しリング９内を通して垂直面状の縁部９ｆの下部側に入射した光を、この反射膜１５ｇで下側内周面９ａ’側に反射させることができる。下側内周面９ａ’から出射した光は、ソーラーセル８の光発電領域８ｂに入射する。本実施形態では、中枠１５の垂直面１５ａ’の表面に反射膜１５ｇをコーティングすることで、上部反射面が形成されている。
【００６４】
このように、見返しリング９の幅（径方向の大きさ）が狭めらている場合でも、見返しリング９の垂直面状に形成された縁部９ｆを、中枠１５の傾斜面１５ａの上部の垂直面１５ａ’で保持し、かつ垂直面１５ａ’の表面にも反射膜１５ｇをコーティングすることで、適切な傾斜角度に設定されている外側傾斜面９ｂの傾斜角度を維持し、かつ垂直面状の縁部９ｆに入射した光をソーラーセル８の光発電領域８ｂ側に効果的に反射させることができる。
【００６５】
よって、見返しリング９の幅（径方向の大きさ）が狭めらている場合でも、見返しリング９の見返し面９ａ側から入射した光をソーラーセル８の光発電領域８ｂに効率よく導光させることができる。
【００６６】
〈実施形態５〉
図１４は、本実施形態に係るソーラーセル付電子時計１ｄの見返しリング付近を示す断面図である。なお、実施形態１、４と同一機能を有する部材には同一符号を付し、重複する説明は省略する。
【００６７】
図１４に示すように、例えばデザイン的に、見返しリング９の見返し面９ａを傾斜させて、見返し面９ａの幅を大きくした場合に、幅を広くした見返し面９ａに入射する光をより有効に利用することが望ましい。
【００６８】
そこで、図１４に示した本実施形態のソーラーセル付電子時計１ｄのように、見返しリング９の外側傾斜面９ｂの傾斜角度は、実施形態１の場合と同様に適切な傾斜角度に維持した状態とし、更に、外側傾斜面９ｂの下端と傾斜した底面９ｃの上端とが接している縁部９ｆを、文字板４に対して垂直に切断して垂直面とする。
【００６９】
そして、この垂直面に形成された縁部９ｆの位置に合わせて、中枠１５の傾斜面１５ａの上部を垂直面１５ａ’とし、この垂直面１５ａ’に垂直面状の縁部９ｆを当接させて保持する。垂直面状の縁部９ｆは、上部側が文字板４よりも上側に位置し、下部側が文字板４よりも下側に位置している。
【００７０】
また、中枠１５の垂直面１５ａ’の表面にも反射膜１５ｇがコーティングされており、見返し面９ａから見返しリング９内を通して垂直面状の縁部９ｆに入射した光を、この反射膜１５ｇで下側内周面９ａ’側に効果的に反射させることができる。下側内周面９ａ’から出射した光は、ソーラーセル８の光発電領域８ｂに入射する。本実施形態では、中枠１５の垂直面１５ａ’の表面に反射膜１５ｇを形成することで、上部反射面が形成されている。
【００７１】
このように、見返しリング９の見返し面９ａを傾斜させ、見返し面９ａの幅を大きくして外光を効果的に入射させるようにした場合でも、見返しリング９の垂直面状に形成された縁部９ｆを、中枠１５の傾斜面１５ａの上部の垂直面１５ａ’で保持し、かつ垂直面１５ａ’の表面に反射膜１５ｇをコーティングすることで、垂直面状の縁部９ｆに入射した光をソーラーセル８の光発電領域８ｂ側に効果的に反射させることができる。よって、ソーラーセル８の光発電領域８ｂに効率よく導光させることができる。
【符号の説明】
【００７２】
１〜１ｄ  ソーラーセル付電子時計
２        外装ケース
４        文字板
８        ソーラーセル
８ｂ      光発電領域
９        見返しリング
９ａ      見返し面
９ｂ      外側傾斜面
９ｃ      底面
９ｆ      縁部
１１      時計ムーブメント
１５      中枠
１５ａ    傾斜面
１５ａ’  垂直面
１５ｂ、１５ｆ、１５ｇ    反射膜
１５ｃ    突起部
Ａ１      空間（第２の空間）
Ａ２      空間（第１の空間）
【図１】
2015052458.tif 000003
【図２】
2015052458.tif 000004
【図３】
2015052458.tif 000005
【図４】
2015052458.tif 000006
【図５】
2015052458.tif 000007
【図６】
2015052458.tif 000008
【図７】
2015052458.tif 000009
【図８】
2015052458.tif 000010
【図９】
2015052458.tif 000011
【図１０】
2015052458.tif 000012
【図１１】
2015052458.tif 000013
【図１２】
2015052458.tif 000014
【図１３】
2015052458.tif 000015
【図１４】
2015052458.tif 000016